(57)【要約】      （修正有）【課題】胴部上のベゼルの摩擦の機能と胴部に対してベゼルを割出す機能とを独立に調整することを可能にしながら、同時に、胴部およびベゼルの小さな断面を維持し、特に、ガラスの外径の、胴部の全直径に対する比を最大にすることを可能にする時計ケースを提供する。【解決手段】胴部２と、胴部上で回転するように取り付けられたベゼル３と、胴部とベゼルとの間にかみ合うリング５と、胴部２に対してベゼル３を適所に割出すように協働する第１の割出し要素１および第２の割出し要素とを備え、ベゼル３を胴部に押しつける第１の弾性要素４ｃと、第１の割出し要素１を第２の割出し要素に押しつける第２の弾性要素４ａとを備え、リングが開口５を備え、その開口５を通して第１または第２の割出し要素が配置される、時計ケース。【選択図】図３
2013160764.tif 000002
【特許請求の範囲】
【請求項１】
胴部（２、１２、２２）と、
前記胴部上で回転するように取り付けられたベゼル（３、１３、２３）と、
前記胴部と前記ベゼルとの間にかみ合うリング（５、１５、２５）と、
前記胴部に対して前記ベゼルを適所に割出すように協働する、第１の割出し要素（１、１１）および第２の割出し要素（３ａ、１３ａ、２３ａ）と
を備え、
前記ベゼルを前記胴部に押しつける第１の弾性要素（４ｂ、４ｃ、４ｄ、１５、２５）と、前記第１の割出し要素を前記第２の割出し要素（３ａ、１３ａ、２３ａ）に押しつける第２の弾性要素（４ａ）とを備え、前記リングが開口（５ａ、１５ａ）を備え、その開口を通して前記第１または前記第２の割出し要素が配置される、時計ケース（９、１９、２９）。
【請求項２】
前記第１の弾性要素が、前記胴部内に作られた１つまたは複数の筐体（２ｂ、２ｃ、２ｄ）の中に取り付けられる、請求項１に記載の時計ケース。
【請求項３】
前記第１の弾性要素が、少なくとも１つのばね、特に少なくとも１つのつる巻きばね（４ｂ、４ｃ、４ｄ）を備える、請求項１または２に記載の時計ケース。
【請求項４】
前記第１の割出し要素が爪（１、１１）を備え、かつ／または前記第２の割出し要素が歯部（３ａ、１３ａ、２３ａ）を備える、請求項１から３のいずれか一項に記載の時計ケース。
【請求項５】
前記爪および／または前記歯部が、前記ベゼルが前記胴部に対して一方向または双方向に動くことを可能にする割出しをもたらすように構成される、請求項３または４に記載の時計ケース。
【請求項６】
前記第２の割出し要素が、前記ベゼルに固定される、請求項１から５のいずれか一項に記載の時計ケース。
【請求項７】
前記開口（５ａ）が、前記爪が回転するのを防止するために前記爪の第２の成形と協働する、第１の成形を含む、請求項６に記載の時計ケース。
【請求項８】
前記第２の弾性要素が、つる巻きばね（４ａ）、特に前記胴部内の筐体（２ａ）内に取り付けられたつる巻きばねを備える、請求項１から７のいずれか一項に記載の時計ケース。
【請求項９】
前記開口（１５ａ）が、前記リング（１５）の内径の中または外径の上に開く、請求項１から８のいずれか一項に記載の時計ケース。
【請求項１０】
前記リング（１５、２５）がばね座金であり、前記ばね座金が、前記第１の弾性要素を構成またはその部分を形成する、請求項１から９のいずれか一項に記載の時計ケース。
【請求項１１】
無負荷時の前記リング（２５）が、円錐台の形状を有する、請求項１０に記載の時計ケース。
【請求項１２】
特に溝（２２ｇ）の中で前記胴部に圧接し、かつ前記ベゼル、特に前記ベゼルの下面（２３ｂ）に圧接して前記リング（２５）が取り付けられる、請求項１１に記載の時計ケース。
【請求項１３】
前記リング（１５）が、その内径（１５ｄ）において前記胴部に固定され、かつその外径（１５ｅ）において前記ベゼルに圧接し、または、その内径（１５ｄ）において前記ベゼルに固定され、かつその外径（１５ｅ）において前記胴部に圧接する、請求項１から１０のいずれか一項に記載の時計ケース。
【請求項１４】
前記リングが、その外径において前記胴部に固定され、かつその内径において前記ベゼルに圧接し、または、その外径において前記ベゼルに固定され、かつその内径において前記胴部に圧接する、請求項１から１０のいずれか一項に記載の時計ケース。
【請求項１５】
請求項１から１４のいずれか一項に記載の時計ケースを備える時計、特に腕時計。
【発明の詳細な説明】
【技術分野】
【０００１】
本発明は、時計ケース（または時計のケーシング）に関し、特に回転式の（または配向可能な）割出しベゼルを有するケースに関する。また、本発明は、そのようなケースを備える時計、特に腕時計に関する。
【背景技術】
【０００２】
回転式かつ鋸歯付きまたは刻み目付きまたは一方向もしくは両方向に割出されるベゼルを有するケース装置の多くの実施形態が知られている。これらの装置は、主に、そのようなベゼルに適合させるために必要な部品を最小限に抑える、および／または単純化することを追及する。それほどの数にはならないが、いくつかの装置は、ベゼルを回転させるときに感じられる感触を最適化することを目的とする。
【０００３】
特許文献１の文献は、時計胴部の環状座部の断面が特に小さい、回転式かつ鋸歯付きまたは刻み目付きベゼルを有する時計ケースを開示している。ベゼルは、胴部の環状座部に固定されたリングの上に取り付けられる。このリングは、１つの同じ半径の上に置かれ、ベゼルの下面に形成された縁部ツースセット（toothset）と協働するように、回転ベゼルの平面に対して傾斜する、２枚の屈曲薄片（flexing leaf）を備える。したがって、このリングは、その２枚の屈曲薄片の作用によって、ベゼルを角度で割出すと同時に、ベゼルを胴部に対して弾性的に付勢することによってベゼルを適所に保持する。それゆえ、戻り止め機能またはベゼルを割出す機能は、リングによって加えられる摩擦トルクに左右され、摩擦トルクは、戻り止め機能に悪影響を及ぼすことなく、ベゼルを回転させるときに感じられる感触を改善するように最適化することはできない。さらに、ケースに対するベゼルの垂直位置およびセンタリングは、胴部およびベゼルそれぞれの上に形成される突出部の単一のセットだけを介して画定される。したがって、ベゼルのセンタリングに影響を与えることなく、摩擦トルクを調節するためにベゼルの垂直位置を調整することはできない。最後に、リングの外周に実施される多くの曲げ動作によって、ベゼルを回転させるときにユーザによって感じられる感触は、特に、このベゼルの扱われ方、ならびに特に、ベゼルに加えられる軸方向圧力の強さおよびこの圧力が分配される方法に左右される。
【０００４】
これらの欠点を少なくとも部分的に緩和するために、市場におけるいくつかの製品の間で知られている１つの解決策は、２枚の異なるセットの屈曲薄片を有するリングを使用することである。この実施形態は、屈曲可能な平板部の第１のセットが、このセットの内部ツースセットと協働することによってベゼルを角度で割出すことに充当されるということ、ならびに屈曲可能な平板部の第２のセットが、胴部上に形成される突出部に対してベゼルを弾性的に付勢することによって所望の摩擦トルクを生成することができるということによって、差異化することができる。この解決策は、戻り止め機能を制動機能から分離するという利点を有するが、そうするために、屈曲可能な平板部のセットのそれぞれを２つの別々の半径上に収納するのに十分な大きさの環状断面を必要とする。したがって、時計ケースの外観は、解決策に左右される。さらに、特許文献１の文献に記載される解決策と同様に、ベゼルのセンタリングに影響を与えることなく摩擦トルクを調整する可能性はなく、ベゼルを回転させるときにユーザによって感じられる感触は、特にこのベゼルの扱われ方に左右される。
【０００５】
ベゼルに加えられる摩擦トルクが特に均一であり、ベゼルのセンタリングとは独立に調整可能であることを可能にする１つの解決策が、特許文献２の文献に記載されている。特許文献２は、ベゼルの下面に形成された逃げ軌道（runway track）内のつる巻きばねによってベゼルの平面に垂直な方向に押しつけられる玉軸受を介して胴部上でセンタリングされ、適所に保持される回転ベゼルを記載している。そのような解決策は、上述の設計の欠点を、少なくとも部分的には克服する。しかしながら、このベゼルの下面の環状断面は、ベゼルの角度位置を維持する機能に戻り止め機能が付加されることを可能にするものではない。
【先行技術文献】
【特許文献】
【０００６】
【特許文献１】スイス特許第６３１５９２号明細書
【特許文献２】欧州特許出願公開第１４１６３４１号明細書
【発明の概要】
【発明が解決しようとする課題】
【０００７】
本発明の目的は、上述の欠点を克服して、従来技術によって知られている時計ケースを改善することができる時計ケースを提供することにある。特に、本発明は、胴部上のベゼルの摩擦の機能と胴部に対してベゼルを割出す機能とを独立に調整することを可能にしながら、同時に、胴部およびベゼルの小さな断面を維持し、特に、ガラスの外径の、胴部の全直径に対する比を最大にすることを可能にする時計ケースを提案する。
【課題を解決するための手段】
【０００８】
本発明による時計ケースが、請求項１によって定義される。
【０００９】
本発明による時計ケースの種々の実施形態が、請求項１から１４によって定義される。
【００１０】
これらの種々の実施形態では、リングおよび／または胴部は、リングが胴部に対して回転することを防止する固定要素（immobilizing element）を備えることができる。固定要素は、胴部内の凹部と協働する突起をリング上に備えることができる。あるいは、固定要素は、リング内の凹部と協働する突起を胴部内に備えることができる。
【００１１】
これらの種々の実施形態では、爪が、胴部の内部に作られた筐体の中に置かれてもよい。
【００１２】
本発明による時計は、請求項１５によって定義される。
【００１３】
添付される図面は、本発明による時計ケースの３つの実施形態を、非限定的な例として示す。
【図面の簡単な説明】
【００１４】
【図１】本発明による時計ケースの第１の実施形態の分解斜視図である。
【図２】本発明による時計ケースの第１の実施形態において使用される時計の胴部の正面図である。
【図３】本発明による時計ケースの第１の実施形態の図２の平面ＩＩＩ−ＩＩＩ上の部分断面図である。
【図４】胴部に対してベゼルを割出す割出し要素における、胴部の詳細な正面図である。
【図５】本発明による時計ケースの第２の実施形態の部分断面図である。
【図６】本発明による時計ケースの第２の実施形態において使用される、胴部に対してベゼルを割出す割出し要素における胴部の斜視図である。
【図７】本発明による時計ケースの第２の実施形態において使用されるリングの斜視図である。
【図８】本発明による時計ケースの第３の実施形態の部分断面図である。
【発明を実施するための形態】
【００１５】
時計ケース９の第１の実施形態が、図１〜図４を参照して、以下に説明される。
【００１６】
時計ケース９は、
胴部２と、
胴部上で回転するように取り付けられたベゼル３と、
胴部とベゼルとの間にかみ合うリング５と、
胴部に対してベゼルを適所に割出すように協働する、第１の割出し要素１および第２の割出し要素３ａと
を備える。
【００１７】
時計ケースは、胴部とベゼルとの間に摩擦を発生するようにベゼルを胴部に押しつける第１の弾性要素４ｂ、４ｃ、４ｄと、第１の割出し要素１を第２割出し要素３ａに押しつける第２の弾性要素４ａとをさらに備える。リングは、開口５ａを備え、その開口を通して第１の割出し要素が配置される。
【００１８】
ベゼルが胴部上で回転することを可能にするために、ベゼルおよび胴部は、胴部の外径２ｈを取り囲むベゼルの内径３ｃによって生み出される枢動連結によって連結される。さらに、ベゼルおよび胴部は、ベゼルの回転軸に沿って、第１の方向にはベゼルがリング５を介して胴部に接触することによって、他の方向には胴部の溝２ｊとベゼルの溝３ｄとの両方の中に取り付けられた保持リングまたはスナップリング６によって、互いに対して停止される。
【００１９】
前述のように、手段は、ベゼルが胴部上で回転するときにベゼルと胴部との間で摩擦を発生させ、すなわち、ベゼルが胴部上で回転することに抵抗する、決められた強さの機械的トルクが存在することを確実にする。さらに、前述のように、手段は、胴部に対してベゼルの位置を割出す機能をもたらす。この割出し機能は、２つの連続する割出し位置の間で胴部に対してベゼルを移動させるために克服されなければならない機械的トルクによって、および／または、胴部に対してベゼルを固定的に保持する機械的保持トルクによって、特徴づけることができる。また、これら２つの機能を実施する、以下にさらに詳細に説明する要素は、これら２つの機能が小さな空間の中で互いに独立であることを可能にする。
【００２０】
第１の割出し要素は、つる巻きばね４ａを備える第２の弾性要素によってベゼルの平面に垂直な方向に押しつけられる爪１を備える。第２の割出し要素は、ベゼル３の下面３ｂに形成される歯部すなわち縁部ツースセット３ａを備える。したがって、爪とツースセットとは、割出しを実施するために協働し、２つの連続する歯部の間のくぼみのそれぞれが、爪が２つの歯部の間にあるときに、爪と協働して位置を決定する。爪は、ツースセットに接触して第２の弾性要素によって戻される。
【００２１】
有利には、爪１およびばね４ａが、胴部２の環状座部２ｉ上に作られた切欠きすなわち筐体２ａの中に収納される。筐体は、たとえば、円筒形の穴であり、その中で爪が自由にスライドする。ばねは、筐体の底および爪の下に圧接することができる。爪の頭部は、ツースセットと相互作用するように構成される。たとえば、爪の頭部は、２つの連続する歯部の間に存在するくぼんだプロファイルと相補する三角形のプロファイルを有することができる。爪の頭部の２つの側面は、一方の勾配が第１の方向にベゼルが回転すること可能にし、他方の勾配が第２の方向にベゼルが回転するのを防止するように、異なる勾配を有することができる。したがって、爪１およびツースセット３ａの幾何形状は、腕時計の機能性とベゼル３に取り付けられた円盤３’によって示される情報とに適するように適合させるために、一方向または双方向の戻り止め機構を生成するように画定することができる。
【００２２】
前に示したように、リング５は、ベゼルと胴部との間に挿入され、このリングは、爪、特に爪の頭部がリングを貫通してツースセットと協働することを可能にする開口５ａを有する。有利には、開口は、爪の頭部の断面（穴２ａの軸に垂直）と相補するかまたは少なくとも部分的に相補し、かつ爪が穴の軸周りに回転するのを防止する形状を有する。たとえば、開口は、図４に示すような矩形の形状を有することができる。したがって、リング５上に形成される切欠き５ａはまた、ベゼル３の下面３ｂのツースセット３ａに対して爪１を角度で割出すという利点を有する。この配置は、爪１の機械加工が、可能な限り簡素化されることを可能にする。特に、爪は、全体的に回転柱面とすることができ、回転柱面である穴２ａに適合することができる。
【００２３】
また、開口５ａは、リング５の内径の上または外径の上に開くことができる。
【００２４】
部品の構成は逆にされてもよく、その場合、爪がベゼル内に収納され、ツースセットが胴部に固定される。
【００２５】
第１の割出し要素、第２の要素割出し要素および第２の弾性要素が、上述の割出し機能を実施する。
【００２６】
第１の弾性要素４ｂ、４ｃ、４ｄが、ベゼルを胴部に押しつける。より具体的には、第１の弾性要素が胴部に圧接しかつリング５をベゼルに押しつけ、ベゼルは保持リング６に押しつけられ、保持リング６自体は胴部を押しつけられる。
【００２７】
第１の弾性要素は、数個のばね、特に１個、２個、３個、４個のつる巻きばね４ｂ、４ｃ、４ｄ、またはさらには５個以上のつる巻きばねを備えることができる。ばねは、それぞれ、胴部２の環状座部２ｉ上に作られた切欠きすなわち筐体２ｂ、２ｃ、２ｄの中に収納される。筐体は、たとえば、円筒形の穴であり、その中でばねが自由に変形することができる。ばねは、筐体の底およびリングの下面に圧接することができる。
【００２８】
有利には、胴部上に占有される空間を制限するために、筐体２ｂ、２ｃ、２ｄは、胴部に対するベゼルの回転軸を中心とする同一の半径の上、またはほぼ同一の半径の上に作成される。好ましくは、筐体２ａも同様に、この半径の上、またはほぼこの半径の上に中心を置かれる。他の選択として、これら種々の筐体は、それらがほぼ等間隔になるような角度に配置される。
【００２９】
リングおよび／または胴部は、リングが胴部に対して回転することを防止する固定要素２ｅ、２ｆ、５ｂ、５ｃを備える。たとえば、固定要素は、胴部内の凹部２ｅ、２ｆと協働するリング上の突起５ｂ、５ｃからなる。
【００３０】
あるいは、固定要素は、リング内の凹部と協働する突起を胴部内に備える。
【００３１】
したがって、ベゼルが回されると、ベゼルは、歯部３ａの頂部においてリング５とこすれる。また、ベゼルは、保持リングとこすれる（または、保持リングが胴部とこすれる）。このこすれまたは摩擦は、ベゼルが胴部に押しつけられて発生し、ベゼルの回転に抗する機械的摩擦トルクを生成する摩擦力を引き起こす。
【００３２】
第１の弾性要素およびリングは、前述の摩擦機能を実施する。
【００３３】
具体的には、リングおよびその開口は、割出し機能と摩擦機能とが分離されることを可能にする。したがって、これらの機能の動作パラメータは、互いに独立に設定されてもよい。
【００３４】
したがって、ばねと、胴部とベゼルの下面との間の界面を形成するリングとの介在によって、特に均一な摩擦トルクを有して胴部の上で回転するように、ベゼルを取り付けることが可能である。また、ベゼルのセンタリングは、その垂直方向の位置決めとは独立に保証され、ベゼル３は、胴部２の部分２ｈと協働するように構成されるベゼルの内径３ｃを介してセンタリングされる。一方で、ベゼルの垂直方向の保持は、ここでは胴部２に直接付着する保持リング６を介して、従来の方法で規定される。さらに、そのような場合、ベゼルの下面の環状断面を最小限に抑えることができる。
【００３５】
時計ケース１９の第２の実施形態を、図５〜図７を参照して、以下に説明する。
【００３６】
この第２の実施形態の図では、第１の実施形態の要素と同一であるか、類似であるか、または同じ機能を実施する要素は、１０が加えられた参照数字を有する。したがって、たとえば、第１の実施形態のケースおよび胴部が「９」および「２」で参照されるのに対して、第２の実施形態におけるケースおよび胴部は、「１９」および「１２」で参照される。
【００３７】
たとえば、第２の実施形態は、第１の弾性要素が統合される方法においてのみ第１の実施形態と異なる。
【００３８】
この第２の実施形態では、第１の弾性要素は、リング１５自体からなる。リングは、ばね座金である。リングはばね座金として作用し、したがって、任意の付加的なばねにかかわらず、ベゼル上に均一な制動トルクを生成することができる。リングは、リングの内径１５ｄにおいて胴部に固定され、リングの外径１５ｅにおいてベゼルに圧接する。第１の実施形態と同様に、リング１５は、少なくとも１つの固定要素、たとえば、胴部１２の固定要素１２ｅと協働するように設計された突起１５ｂを備える。
【００３９】
リング１５は、保持リング１７によってその内径において胴部１２の環状座部の部分に押しつけられる。ベゼル１３の垂直位置は、ひとたびベゼルが胴部の上に取り付けられると、ベゼルの下面１３ｂがリング１５と、その外径１５ｄにおいて接触するように、保持リング１６によって規定され、それにより胴部の環状座部上に設けられた溝１２ｇの中にリングが屈曲して入る。したがって、リング１５の変形が、保持リング１６を介して、ベゼル１３が胴部１２に弾性的に押しつけられることを可能にする。
【００４０】
摩擦トルクは、もちろん、リングの厚さと、溝１２ｇの半径方向の広がりによって画定されるリングの有効な断面とに応じて調整され得る。
【００４１】
第１の実施形態と同様に、切欠き１５ａがリング１５上に設けられ、それにより、胴部１２の中に置かれた爪１１が、下面１３ｂとは別個の平面上に位置する縁部ツースセット１３ａと接触することができる。
【００４２】
代替として、リングは、その外径において胴部に固定され、かつその内径においてベゼルに圧接することができ、または、その外径においてベゼルに固定され、かつその内径において胴部に圧接することができる。
【００４３】
時計ケース２９の第３の実施形態を、図８を参照して、以下に説明する。
【００４４】
この第３の実施形態の図では、第１の実施形態の要素と同一であるか、類似であるか、または同じ機能を実施する要素は、２０が加えられた参照数字を有する。したがって、たとえば、第１の実施形態のケースおよび胴部が「９」および「２」で参照されるのに対して、第３の実施形態におけるケースおよび胴部は、「２９」および「２２」で参照される。
【００４５】
たとえば、第３の実施形態は、第１の弾性要素が統合される方法においてのみ第１の実施形態と異なる。
【００４６】
この第３の実施形態では、第１の弾性要素は、リング２５自体からなる。リングはばね座金として作用し、したがって、任意の付加的なばねにかかわらず、ベゼル上に均一な制動トルクを生成することを可能にする。無負荷時のリング２５は、円錐台の形状である。たとえば、リング２５は、「皿」ばね座金タイプの座金からなる。特に溝２２ｇの中で胴部に圧接し、かつベゼル、特にベゼルの下面２３ｂに圧接するリングが、取り付けられる。したがって、座金は、胴部の環状座部上に形成された溝２２ｇの中に置かれてもよく、ベゼル上に所望の摩擦トルクを生成するように垂直方向に位置決めされた、ベゼル２３の下面２３ｂによって張力をかけられてもよい。リング２５の円錐台の幾何形状が、縁部ツースセット２３ａがベゼル２３の下面２３ｂ上に配置されることを可能にする。制動トルクは、もちろん、リングの厚さおよびリングの断面に応じて調節可能である。他の実施形態と同様に、切欠きがリング２５上に設けられ、それにより、胴部２２の中に置かれた爪が、縁部ツースセット２３ａと接触することができる。第１の２つの実施形態と同様に、リング１５は、少なくとも１つの固定要素、たとえば、胴部２２の固定要素２２ｅと協働するように設計された突起２５ｂを備える。
【００４７】
あるいは、第２の実施形態と同様に、リングは、その外径において胴部に固定され、かつその内径においてベゼルに圧接することができ、または、その外径においてベゼルに固定され、かつその内径において胴部に圧接することができる。
【００４８】
上で説明した種々の実施形態は、時計、特に腕時計を作成するために使用され得る。
【００４９】
種々の実施形態では、リングおよび／または胴部は、リングが胴部に対して回転することを防止する固定要素を備えることができる。固定要素は、胴部内の凹部と協働する突起をリング上に備えることができる。あるいは、固定要素は、リング内の凹部と協働する突起を胴部内に備えることができる。
【００５０】
種々の実施形態では、爪が、胴部内に作られた筐体の中に置かれてもよい。
【００５１】
それゆえ、本発明による時計ケースは、独立である摩擦機能と割出し機能とを設けながら、同時に、それらの機能を実施するために必要な表面積を制限することを可能にし、特に、胴部の環状座部の断面を最小限に抑えることができる。また、解決策を実施するために必要な部品の数が制限され得る。具体的には、ガラスの外径が、胴部の全直径に対して最大化され、それゆえ、所望の全体的な外観を作成することにおいてより大きな自由度が与えられ得る。
【００５２】
本発明において、また本実施形態において、割出しの機能は、刻み目または歯部と協働する爪（click）など、戻り止め機構によって実施されてもよい。
【符号の説明】
【００５３】
１  爪
２  胴部
２ａ  筐体
２ｂ  筐体
２ｃ  筐体
２ｄ  筐体
２ｅ  胴部内の凹部
２ｆ  胴部内の凹部
２ｈ  胴部の外径
２ｉ  胴部の環状座部
２ｊ  溝
３  ベゼル
３’  円盤
３ａ  縁部ツースセット
３ｂ  ベゼルの下面
３ｃ  ベゼルの内径
３ｄ  ベゼルの溝
４ａ  第２の弾性要素
４ｂ  第１の弾性要素
４ｃ  第１の弾性要素
４ｄ  第１の弾性要素
５  リング
５ａ  切欠き
５ｂ  突起
５ｃ  突起、固定要素
６  保持リング
９  時計ケース
１１  爪
１２  胴部
１２ｅ  胴部の固定要素
１２ｇ  溝
１３  ベゼル
１３ａ  縁部ツースセット
１３ｂ  ベゼルの下面
１５  リング
１５ａ  切欠き
１５ｂ  突起
１５ｄ  リングの内径
１５ｅ  リングの外径
１６  保持リング
１７  保持リング
１９  時計ケース
２２  胴部
２２ｇ  溝
２３  ベゼル
２３ａ  縁部ツースセット
２３ｂ  ベゼルの下面
２５  リング
２５ｂ  突起
２９  時計ケース
【図１】
2013160764.tif 000003
【図２】
2013160764.tif 000004
【図３】
2013160764.tif 000005
【図４】
2013160764.tif 000006
【図５】
2013160764.tif 000007
【図６】
2013160764.tif 000008
【図７】
2013160764.tif 000009
【図８】
2013160764.tif 000010
【外国語明細書】
2013160764000001.pdf
2013160764000002.pdf
2013160764000003.pdf
2013160764000004.pdf